(57)【要約】  本発明は、２つの群のポケット（３）を含むポケット型のスプロケットに関し、このスプロケットは、スプロケット軸（８）に対してα度の角度で通過するチェーン部分のチェーン部材（１０）用に使用され、これらの群のポケット（３）は、相互に隣接し且つオフセット状態にある。スプロケットの所定の歯数における角度αが、使用部材の直径ｄおよびチェーン部材（１０）の内側幅ｂｉのみによって決定されるように、チェーン部材とポケットとの間の接触が確実に歯の面の領域に限定されるようにする。
2008540954.tif 000002
【特許請求の範囲】
【請求項１】
巻き上げ装置および吊り上げ装置のチェーン伝動装置用のポケット型チェーンホイールであり、ホイール軸（８）に対して角度αでホイールを通過するチェーンリンク（１０；２２）のための２つの群のポケット（３）を含み、前記ポケット（３）の群が相互に隣接し、かつ、オフセット状態に配置され、このチェーンホイールの内方で各ポケットが底部（４）、側壁（９）および２つの歯（５）を形成する横手方向に延びたウェブによって形成され、かつ、対向するこのポケット（３）の側壁（９）間の距離（Ａ）は、ホイールの軸（８）の方向に平行に測定したチェーンリンク（１０；２２）の長さ（ａ）よりも長いポケット型チェーンホイールにおいて、ホイールの所定の歯数での角度αがチェーンリンク（１０；２２）の部材の直径ｄおよび内側幅ｂｉのみによって決まり、ホイールの歯（５）を形成する横手方向に延びたウェブの高さＨがホイール軸から離れたチェーンリンクの長手方向に延びた脚部とこの脚部に面した横手方向に延びたウェブによって形成された歯部の頂上の領域との接触を回避できるほど充分低く、かつ、ポケットの側壁（９）が確実にチェーンリンク（１０；２２）の起こりえるホイール軸（８）に対する平行な動きを制限するためだけに機能することを特徴とするポケット型チェーンホイール。
【請求項２】
対向するポケット（３）の側壁（９）間の距離（Ａ）が、ホイール軸（８）方向で測定したチェーンリンク（１０；２２）の延長部（ａ）の１．１倍よりも長いことを特徴とする請求項１に記載のポケット型チェーンホイール。
【請求項３】
ポケット（３）の底部（４）と、これに面し且つホイール軸の近くに位置するチェーンリンク（１０；２２）の長手方向の脚部（１３）との接触を回避するためのポケットの底部が、２つの部分（４ａ、４ｂ）からなり、これらの部分は、相互に鈍角βを囲み、且つ、その互いに反対の方向に向いた端部がホイールの歯のフランク（６）へと延びていることを特徴とする請求項１または２に記載のポケット型チェーンホイール。
【請求項４】
ポケット（３）の底部（４）が軸（８）と平行に延び、かつ、ポケット（３）の側壁（９）がホイール軸（８）に対して垂直に延びていることを特徴とする請求項１から３のいずれかに記載のポケット型チェーンホイール。
【請求項５】
歯（５）のフランク（６）およびポケット（３）の底部（４）が、半径を有する湾曲範囲（７）を介して、ポケット（３）の側壁（９）に移行し、この半径は、前記範囲（７）と、チェーンリンク（１０；２２）との間のいかなる接触も回避することができるほど、充分小さいことを特徴とする請求項４に記載のポケット型チェーンホイール。
【請求項６】
歯（５）のフランク（６）と、ポケット（３）の底部（４）との間の移行部（７）およびポケットの側壁（９）が、０．４ｄ以下の半径を有することを特徴とする請求項１から５のいずれかに記載のポケット型チェーンホイール。
【請求項７】
ポケット型チェーンホイール（１、２）を通過するチェーンストランド（１４；２１）の積載側および解放側がそれらに割り当てられた枢動自在な案内部材（１８、１９；２３、２４）を有し、この案内部材の枢動軸（１６、１７）およびチェーンホイールの軸（８）がそれぞれ、出入りするチェーンストランド（１４；２１）の長手方向に延びた軸に対して垂直面に配置されていることを特徴とする請求項１から６のいずれかに記載のポケット型チェーンホイールを含むチェーン伝動装置。
【請求項８】
案内部材（１８、１９；２３、２４）が、案内ウェブ（２０）または案内溝（２５）を含み、その長さＬが少なくともチェーンストランド（１４；２１）のチェーンリンク（１０；２２）間の間隔ｔの２．５倍であることを特徴とする請求項７に記載のチェーン伝動装置。
【請求項９】
案内部材（１８、１９；２３、２４）が、その枢動軸（１６、１７）の下方に位置する部分および上方に位置する部分を含み、この下方部分が少なくともチェーンの間隔の２倍の長さを有することを特徴とする請求項７または８に記載のチェーン伝動装置。
【請求項１０】
チェーンストランド（１４；２１）のリンク（１０；２２）が１．１から１．４ｄの内側幅ｂｉを有することを特徴とする請求項７から９のいずれかに記載のチェーン伝動装置。
【発明の詳細な説明】
【技術分野】
【０００１】
本発明は、巻き上げ装置および吊り上げ装置のチェーン伝動装置(chain drive)用のポケット型チェーンホイールに関し、このチェーンホイールはホイール軸に対して角度αで通過する２つの群のチェーンリンク用ポケットを含み、このポケット群は相互に隣接し、かつ、オフセット状態に配置され、このチェーンホイールの内方で各ポケットが底部、側壁および２つの歯を形成する横手方向に延びたウェブによって形成され、対向するこのポケットの側壁間の距離Ａは、ホイール軸方向に測定したチェーンリンクの延長部ａよりも長くなっている。
【背景技術】
【０００２】
上述のタイプのチェーンホイールは下記特許文献１から知られている。この公知のチェーンホイールにおいて、チェーンリンクは、ホイール軸の近くに配置された脚部によって底部でそして軸から離れて配置された脚部によってこの脚部に面したホイールの歯を形成する横手方向に延びたウェブの領域で支持され、この種の二重の支持によって、チェーンリンクの斜めの位置と一致する大きさの角度αが形成される。さらにポケットの側壁上のいずれかでチェーンリンクが支持されると効果的だと考えられている。つまり、公知のチェーンホイールでは、関連するその他のポケット型チェーンホイールの場合にも当てはまるように、角度αの大きさはチェーンホイールの寸法によって決まるが、これは例えば下記特許文献２から知られている。この特許文献に開示されているチェーンホイールにおいて、チェーンリンクは、一方で軸の近くに位置するその弓部から脚部への移行領域において歯の基部上で支持され、他方でウェブの座面上で支持され、このホイールの形状によって、この歯の中央の面がホイールの軸に対して４５度から５０度程度の所定の角度を成すようになっている（上記特許文献２、第２欄、１３から２６行目参照）。所定の角度は、下記特許文献３から知られているように、チェーンホイールを通過するチェーンのリンクによっても形成され、その角度は４５度である（２頁、２２行目参照）。軸から離れている脚部は、上記文献の図２（図は正確ではない）とは対照的に、伝動歯部の各頂上に配置される（上記文献中２頁、１５から１６行目参照）が、軸の近くに位置する脚部は各ポケット基部上で支持される。また、チェーンホイール軸に対して４５度の角度を形成するチェーンリンクの中央面の位置またはチェーンの個々に連続するチェーンリンクの中央面間で９０度のオフセットを形成するチェーンホイールも、下記特許文献４（１頁、９７から１０２行目参照）によって達成されている。下記特許文献５では、チェーンリンクの中央面の位置が各チェーンホイール軸に対して４５度ではないチェーンホイールが提案されている。しかしながら、このチェーンホイールでも、チェーンホイールを通過するチェーンリンクの角度位置は、特定のパラメータ（要因）に基づいて、チェーンホイールの形状によって決定される。
【特許文献１】ドイツ特許第４４０６６２３（Ｃ１）号明細書
【特許文献２】米国特許第５５３３９３８号明細書
【特許文献３】オランダ特許第７９０４５５９（Ａ）号明細書（ドイツ実用新案第７９１８９９７（Ｕ）号明細書）
【特許文献４】米国特許第６６２７６８（Ａ）号明細書
【特許文献５】米国特許第３４１５１３５（Ａ）号明細書
【発明の開示】
【発明が解決しようとする課題】
【０００３】
種々の研究によって判明したように、上述の特許文献１から４のポケット型チェーンホイールにおいてチェーンリンクがホイールを通過する際、チェーンリンクにかかる負荷は、特許文献５のチェーンホイールを通過する際の負荷よりも小さいと想定される。その理由は、上述の特許文献１から４のホイールのポケットの底部はホイールの軸とほぼ平行で、かつ、このホイールのポケットの側壁はホイールの軸に対してほぼ垂直であるため、特許文献５のチェーンホイールにおいて一般的な状態とは対照的に、チェーンリンクがある程度自由に動くためと考えられているが、この動きによって、大きな負荷が掛かる場合、チェーンが磨耗による交換の前に破損してしまう恐れがないわけではない。
【０００４】
しかしながら、これまで示してきたようにチェーンリンクに掛かる負荷は大幅に軽減することができる、すなわち、上述の解決策とは対照的であるが、もしチェーンリンクがチェーンホイールに亘って走行するときにチェーンリンクによって形成される角度αが、チェーンホイールの形状ではなく、所定の歯数のときのホイールのチェーンリンク部材の直径ｄおよび内側幅ｂｉのみによって決まるのであれば、ホイールの歯を形成する横手方向に延びたウェブの高さＨが確実にホイール軸から離れたチェーンリンクの長手方向に延びた脚部とこの脚部に面し、横手方向に延びたウェブによって形成された歯部の頂上の領域との接触を回避できるほど充分低くなり、かつ、ポケットの側壁が確実にホイール軸と平行なチェーンリンクの可能な動きを制限するためだけに機能するので、負荷を軽減することができる。
【０００５】
これは実際には、本発明のチェーンホイールをチェーンリンクが通過する際、チェーンリンクがいわゆる「それ自体が安定する」斜めの位置を占め、かつ、所定の強制位置に起因する、いかなる追加の負荷にも晒されないことを意味する。接触領域、即ち本発明のチェーンホイールにおいて、力がチェーンホイールとそれを通過するチェーンのリンク間に伝える際に介在する接触領域は、歯部を形成する横手方向に延びたウェブの歯部フランクおよびこの歯部フランクに当接するチェーンリンクの弓形状セクションに限定され、ポケットの側壁は、いかなる純粋な支持機能も担うことなく、ホイール軸に対するチェーンストランドの動きを適度な範囲で維持する機能だけを有すればよい。チェーンリンクの動きに所定の自由が付与されれば、限界応力を防ぐことができる。もはやチェーンが交換前に疲労によって破損することを心配する必要はない。
【０００６】
さらに、本発明は巻き上げ装置または吊り上げ装置のための、本発明のポケット型チェーンホイールを装備したチェーン伝動装置に関し、ポケット型チェーンホイールを通過するチェーンストランドの積載側および解放側は、そこに枢動自在な案内部材が割り当てられ、この案内部材の枢動軸およびチェーンホイールの軸はそれぞれ、出入りするチェーンストランドの長手方向の軸と垂直な平面に配設されている。案内部材の役割は、ポケット型チェーンホイールに入る前にそれぞれのチェーンリンクを安定させて制御不能な動きを減らし、チェーンストランドがポケット型チェーンホイールに安全に入れるようにすることである。
【発明を実施するための最良の形態】
【０００７】
本発明の更なる特徴および詳細は、従属請求項および添付図に示される以下の説明から明らかとなろう。
【０００８】
図１および２は、着脱式または非着脱式に相互に結合可能なポケット型チェーンホイールの２つの半部である。２つの半部はそれぞれ５つのポケット３を形成し、このポケットの底部４が直線部分４ａと、４ｂとを有し、これらの部分は約１６０度の角度βを囲んで、チェーンリンクの溶接ビードと、底部４との接触を回避している。
【０００９】
ホイールの円周方向に相互にオフセット状態に配置されている、ポケット列の連続する各ポケット３は、フランク６を有する歯部５によって互いに離隔され、このフランクがチェーンストランドのチェーンリンクに力を伝達する。ノッチ部分への応力を軽減するために配設された小さな移行部７を除き、ポケット３の底部４および歯５のフランク６はポケット型チェーンホイールの軸８と平行に延び、これに対してポケット３の側壁９は軸８に対して垂直に配向されている。いずれにせよ、移行部の半径はチェーンのリンクの直径ｄの半分よりも小さくする必要があり、直径ｄは丸いスチール製リンクを用いているときは脚部の直径とし、断面Ｄ字状リンクを用いているときはＤ字状の断面に内接するリンクの直径ｄとする。実際には湾曲部の半径は、ほぼ０．１ｄから０．４ｄ程度であるため、チェーンのリンクと、移行部とのあらゆる接触は回避される。
【００１０】
図６から図９は、例示のためにいずれも直径ｄの単独のチェーンリンク１０を示し、その角度αは、ポケット型チェーンリンクを通過する際のその部材の直径ｄおよびその内側幅ｂｉに基づいて、チェーンのリンクが呈する角度である。例えば角度αは、図６の内側幅ｂｉ＝１．１ｄであるチェーンリンクを有するチェーンの場合は約４５度であるが、内側幅ｂｉ＝１．１５ｄ（図７）、１．２５ｄ（図８）および１．３ｄ（図９）のチェーンリンクの場合は、約４１度（図７）、約３５度（図８）および約３０度（図９）の角度を成す。図６から図９に示すように、チェーンリンクの所定の部材直径ｄおよびホイールの所定の歯数のときの、チェーンリンクの斜めの位置は、チェーンリンクの内側幅ｂｉのみによって決定される、すなわち、標準的な従来技術とは対照的に、ポケット型チェーンホイールの寸法によって決まるのではなく、相互に結合しているチェーンリンクの弓もしくはリンクの孤に亘る互いの接触状態によって決まる。通常の状態では、ホイールの軸から離れているほうのチェーンリンク１０の長手方向の脚部１１は、これらの脚部に面する歯５の頂上領域１２と接触しないだけでなく、さらに、ポケット３の対向する側壁９と軸から離れた脚部１１および軸に近い脚部１３との間にも接触は生じない。換言すれば、対向する側壁９間の距離Ａは、軸８の方向に測定したチェーンリンク１０の外側幅ａよりも大きい。実際には、Ａは１．１ａ（ａの１．１倍）より大きくなければならない。
【００１１】
図１０および１１は、丸いスチール製リンク１０から成るチェーンストランド１４が巻かれた上述のタイプのポケット型チェーンホイール１５を示し、このチェーンホイールは、巻き上げ装置および吊り上げ装置用のチェーン伝動装置の一部を形成する。チェーンストランド１４の積載側および解放側は、それぞれに割り当てられた枢動軸１６および１７を中心に回転自在な２つの案内部材１８および１９を有し、この各案内部材は、案内ウェブ２０を含み、チェーンストランドの出入り動作を効果的に促し、さらにそれ自体はすでに知られているが、チェーンストランドが入る際、反作用によってチェーンストランドの上昇を抑える。図１０から判るように、枢動軸１６、１７およびホイール軸８は、シート面（sheet plane）に垂直なこれら軸の共同面(joint plane)に位置する。斜めに入るチェーンストランド１４では図１２から判るように、この共同面は３つの軸８、１６および１７すべての共同面ではなく、軸１６および８ならびに１７および８のそれぞれの共同面を意味する。
【００１２】
チェーンリンク１０の形状に適合させてないこの新規のチェーンホイールのポケット３によって、丸いスチール製リンク１０から成るチェーンストランド１４を、断面Ｄ字状リンク２２から成るチェーンストランド２１と容易に交換できるようになる。特に断面Ｄ字状リンク２２から成るチェーンストランド２１を使用する場合、図１３および１４に示すように案内部材１８および１９を案内部材２３、２４に置き換え、このとき、案内溝２５を案内ウェブ２０の代わりに設けると好適であることが判明している。案内溝２５の最大幅Ｂは意図的に、ポケット３の側壁９間の距離Ａよりも小さくなるように選択されており、図１０から１２の解決策のときと同様に、チェーンリンク２２がポケット型チェーンホイール１５へ確実に中央から入るようにする。
【００１３】
原則として、案内ウェブおよび案内溝を省略することが可能である。その場合でも、ポケット３の側壁９がホイールを通過するチェーンストランドの横方向の走行、すなわち、ホイール軸８と平行に延びる走行を、チェーンホイールが規定する「角度の拘束」をチェーンリンクに強いることなく、防ぐことができる。
【図面の簡単な説明】
【００１４】
【図１】２つの部分から成るポケット型チェーンホイールの、ホイール半部のポケットの、正面図である。
【図２】図１のホイール半部の上面図である。
【図３】図１のＩＩＩ−ＩＩＩ線に沿った断面図である。
【図４】図１から３の２つの部分から成るポケット型チェーンホイールの正面図である。
【図５】図４のポケット型チェーンホイールの上面図である。
【図６】内側幅ｂｉが１．１ｄであるリンクを有する、チェーンのためのポケット型チェーンホイールの断面図である。
【図７】内側幅ｂｉが１．１５ｄであるリンクを有する、チェーンのためのポケット型チェーンホイールの断面図である。
【図８】内側幅ｂｉが１．２５ｄであるリンクを有する、チェーンのためのポケット型チェーンホイールの断面図である。
【図９】内側幅ｂｉが１．３ｄであるリンクを有する、チェーンのためのポケット型チェーンホイールの断面図である。
【図１０】丸いスチール製チェーンを装備し、且つ、図１から９のポケット型チェーンホイールを有するチェーン伝動装置部分の正面図である。
【図１１】図１０のチェーン伝動装置部分の上面図である。
【図１２】変形チェーン伝動装置部分の正面図である。
【図１３】断面Ｄ字状のチェーンを装備し、かつ、図１から９のポケット型チェーンホイールを有するチェーン伝動装置部分の正面図である。
【図１４】図１３のチェーン伝動装置部分の上面図である。
【図１】
2008540954.tif 000003
【図２】
2008540954.tif 000004
【図３】
2008540954.tif 000005
【図４】
2008540954.tif 000006
【図５】
2008540954.tif 000007
【図６】
2008540954.tif 000008
【図７】
2008540954.tif 000009
【図８】
2008540954.tif 000010
【図９】
2008540954.tif 000011
【図１０】
2008540954.tif 000012
【図１１】
2008540954.tif 000013
【図１２】
2008540954.tif 000014
【図１３】
2008540954.tif 000015
【図１４】
2008540954.tif 000016
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
巻き上げ装置および吊り上げ装置のチェーン伝動装置用のポケット型チェーンホイールであり、ホイール軸（８）に対して角度αでホイールを通過するチェーンリンク（１０；２２）のための２つの群のポケット（３）を含み、前記ポケット（３）の群が相互に隣接し、かつ、オフセット状態に配置され、このチェーンホイールの内方で各ポケットが底部（４）、側壁（９）および２つの歯（５）を形成する横手方向に延びたウェブによって形成され、かつ、対向するこのポケット（３）の側壁（９）間の距離（Ａ）は、ホイール軸（８）と平行な方向で測定したチェーンリンク（１０；２２）の長さ（ａ）よりも長いポケット型チェーンホイールにおいて、ホイールの所定の歯数での角度αがチェーンリンク（１０；２２）の部材の直径ｄおよび内側幅ｂｉのみによって決まり、ホイールの歯（５）を形成する横手方向に延びたウェブの高さＨがホイール軸から離れたチェーンリンクの長手方向に延びた脚部とこの脚部に面した横手方向に延びたウェブによって形成された歯部の頂上の領域との接触を回避できるほど充分低く、かつ、ポケットの側壁（９）が確実にチェーンリンク（１０；２２）の起こりえるホイール軸（８）に対する平行な動きを制限するためだけに機能することを特徴とするポケット型チェーンホイール。
【請求項２】
対向するポケット（３）の側壁（９）間の距離（Ａ）が、ホイール軸（８）方向で測定したチェーンリンク（１０；２２）の延長部（ａ）の１．１倍よりも長いことを特徴とする請求項１に記載のポケット型チェーンホイール。
【請求項３】
ポケット（３）の底部（４）と、これに面し且つホイール軸の近くに位置するチェーンリンク（１０；２２）の長手方向の脚部（１３）との接触を回避するためのポケットの底部が、２つの部分（４ａ、４ｂ）からなり、これらの部分は、相互に鈍角βを囲み、且つ、その互いに反対の方向に向いた端部がホイールの歯のフランク（６）へと延びていることを特徴とする請求項１または２に記載のポケット型チェーンホイール。
【請求項４】
ポケット（３）の底部（４）が軸（８）と平行に延び、かつ、ポケット（３）の側壁（９）がホイール軸（８）に対して垂直に延びていることを特徴とする請求項１から３のいずれかに記載のポケット型チェーンホイール。
【請求項５】
歯（５）のフランク（６）およびポケット（３）の底部（４）が、半径を有する湾曲範囲（７）を介して、ポケット（３）の側壁（９）に移行し、この半径は、前記範囲（７）と、チェーンリンク（１０；２２）との間のいかなる接触も回避することができるほど、充分小さいことを特徴とする請求項４に記載のポケット型チェーンホイール。
【請求項６】
歯（５）のフランク（６）と、ポケット（３）の底部（４）との間の移行部（７）およびポケットの側壁（９）が、０．４ｄ以下の半径を有することを特徴とする請求項１から５のいずれかに記載のポケット型チェーンホイール。
【請求項７】
ポケット型チェーンホイール（１、２）を通過するチェーンストランド（１４；２１）の積載側および解放側がそれらに割り当てられた枢動自在な案内部材（１８、１９；２３、２４）を有し、この案内部材の枢動軸（１６、１７）およびチェーンホイールの軸（８）がそれぞれ、出入りするチェーンストランド（１４；２１）の長手方向に延びた軸に対して垂直面に配置されていることを特徴とする請求項１から６のいずれかに記載のポケット型チェーンホイールを含むチェーン伝動装置。
【請求項８】
案内部材（１８、１９；２３、２４）が、案内ウェブ（２０）または案内溝（２５）を含み、その長さＬが少なくともチェーンストランド（１４；２１）のチェーンリンク（１０；２２）間の間隔ｔの２．５倍であることを特徴とする請求項７に記載のチェーン伝動装置。
【請求項９】
案内部材（１８、１９；２３、２４）が、その枢動軸（１６、１７）の下方に位置する部分および上方に位置する部分を含み、この下方部分が少なくともチェーンの間隔の２倍の長さを有することを特徴とする請求項７または８に記載のチェーン伝動装置。
【請求項１０】
チェーンストランド（１４；２１）のリンク（１０；２２）が１．１から１．４ｄの内側幅ｂｉを有することを特徴とする請求項７から９のいずれかに記載のチェーン伝動装置。
【国際調査報告】
2008540954.tif 000017
2008540954.tif 000018
2008540954.tif 000019
2008540954.tif 000020
2008540954.tif 000021
2008540954.tif 000022